(57)【特許請求の範囲】
【請求項１】
ＩＰを用いた主ネットワークにおいてローミングする方法であり、加入者が前記主ネットワークにおいて一意の内線アイデンティティ及び一意のログインパスワードを有し、
−前記主ネットワーク内のサブネットワークにおけるゲートキーパにおいて、前記サブネットワークに属する端末から一意の内線アイデンティティを含む登録要求を受信するステップと、
−前記一意の内線アイデンティティが前記サブネットワークに属するかを前記ゲートキーパ内で判定するステップとを有する方法であって、前記内線アイデンティティが前記サブネットワーク以外の別のネットワークに属する場合に、
−前記サブネットワークのルーティングサーバ（ＲＳ）に、前記一意の内線に対するホームゲートキーパ（ＨＧＫ）のＩＰアドレスを要求するステップと、
−前記ルーティングサーバから、前記ゲートキーパに前記要求されたホームゲートキーパの前記ＩＰアドレスを応答するステップと、
−前記ＩＰアドレスを使用して前記端末から前記一意の内線の前記ホームゲートキーパ（ＨＧＫ）に登録要求を送信できるように、前記ゲートキーパから前記端末に前記ＩＰアドレスを送信するステップと、
−前記ＩＰアドレスを用いて前記端末から前記ホームゲートキーパ（ＨＧＫ）へ前記登録要求を送信するステップとを更に含むことを特徴とする方法。
【請求項２】
ＩＰアドレスが前記ルーティングサーバにより見つけられない場合に、
−前記ホームゲートキーパ（ＨＧＫ）のＩＰアドレスに対する要求を前記ルーティングサーバから主ルーティングサーバ（ＣＲＳ）に送出するステップと、
−前記ルーティングサーバにおいて、前記主ルーティングサーバから前記ホームゲートキーパ（ＨＧＫ）のＩＰアドレスを受信するステップとを更に含む請求項１に記載の方法。
【請求項３】
前記主ルーティングサーバ（ＣＲＳ）により適切なＩＰアドレスが識別されない場合に、
−前記ルーティングサーバにおいて、企業内内線アイデンティティが見つからないことを示すメッセージを前記主ルーティングサーバから受信するステップと、
−前記登録要求が拒否されることを示すメッセージを前記ルーティングサーバから前記端末に送信するステップとを更に含む請求項２に記載の方法。
【請求項４】
−前記内線が前記ゲートキーパの前記サブネットワーク以外の別のネットワークに属する場合、前記ゲートキーパ（ＧＫ）において前記一意の内線アイデンティティに対するパスワード要求を無効にするステップを更に含む請求項１乃至３のいずれか１項に記載の方法。
【請求項５】
前記一意の内線アイデンティティは電話番号又はネットワーク番号である請求項１乃至４のいずれか１項に記載の方法。
【請求項６】
前記主ネットワークは企業内ネットワークであり、サブネットワークは企業内ローカルネットワークであり、主ルーティングサーバは企業内ルーティングサーバであり、前記一意の内線アイデンティティは一意の企業内内線アイデンティティである請求項１乃至５のいずれか１項に記載の方法。
【請求項７】
ＩＰを用いた主ネットワーク内のサブネットワークにおけるノードであって、加入者が前記主ネットワークにおいて一意の内線アイデンティティ及び一意のログインパスワードを有し、
−端末から一意の内線アイデンティティを含む登録要求を受信し、
−前記一意の内線アイデンティティが前記サブネットワークに属するかを判定するように構成されるゲートキーパを具備し、
−前記一意の内線アイデンティティが前記ゲートキーパの前記サブネットワーク以外の別のネットワークに属する場合、前記ゲートキーパは、ルーティングサーバ（ＲＳ）に対して前記ノードにおいて前記一意の内線アイデンティティと関連付けられるホームゲートキーパ（ＨＧＫ）のＩＰアドレスを要求するように構成され、
−前記ルーティングサーバは、前記ルーティングサーバから前記ゲートキーパに前記要求されるホームゲートキーパの前記ＩＰアドレスで応答するように構成され、
−前記ゲートキーパは、前記ＩＰアドレスを使用して前記端末から前記一意の内線アイデンティティの前記ホームゲートキーパ（ＨＧＫ）に前記登録要求を送信できるように、前記端末に前記ＩＰアドレスを送信するように構成されることを特徴とするノード。
【請求項８】
前記ルーティングサーバは、更に、
−ＩＰアドレスが前記ルーティングサーバで見つけられない場合、主ルーティングサーバ（ＣＲＳ）に対して、前記一意の内線アイデンティティと関連付けられる前記ホームゲートキーパ（ＨＧＫ）のＩＰアドレスを要求し、
−前記主ルーティングサーバから前記ＩＰアドレスを受信するように構成される請求項７に記載のノード。
【請求項９】
前記ルーティングサーバ（ＲＳ）は、更に、
−前記ＩＰアドレスが見つからないことを示すメッセージを前記主ルーティングサーバから受信し、
−前記登録要求が拒否されることを示すメッセージを前記端末に送出するように構成される請求項８に記載のノード。
【請求項１０】
前記ゲートキーパ（ＧＫ）は、更に、
−前記内線アイデンティティが前記ゲートキーパの前記サブネットワーク以外の別のサブネットワークに属する場合、端末に対するパスワード要求を無効にするように構成される請求項７乃至９のいずれか１項に記載のノード。
【請求項１１】
前記ノードは構内交換機（ＰＢＸ）である請求項７乃至１０のいずれか１項に記載のノード。
【請求項１２】
前記ノードは、更に、
−前記一意の内線アイデンティティが前記サブネットワークに属する場合、前記一意の内線が前記ノードに既に登録されているかを判定し、
−前記一意の前記内線アイデンティティが前記ノードに既に登録されている場合、前記一意の前記内線アイデンティティの登録／ログイン状態をチェックし、
−前記一意の内線上でアクティブなコールがある場合に当該アクティブなコールを切断し、
−前記端末にログインするために、前記一意の内線アイデンティティに登録されている端末に対して登録解除要求を送出し、
−前記登録要求を処理し且つ前記ゲートキーパにおいて前記端末を登録することにより前記端末にログインするように構成される請求項７、８及び１０のいずれか１項に記載のノード。
【請求項１３】
前記ノードは、更に、
−前記端末が前記サブネットワークに属するかを判定し、
−前記端末が別のサブネットワークに属する場合、前記ノードから前記端末に、前記端末がリモートログインされたこと、及び通常は前記端末が配置され且つ登録される前記別のサブネットワークのノードに対して前記端末が緊急通話要求を出す必要があることを前記端末に通知するメッセージを送信するように構成される請求項１２に記載のノード。
【請求項１４】
前記主ネットワークは企業内ネットワークであり、サブネットワークは企業内ローカルネットワークであり、主ルーティングサーバは企業内ルーティングサーバであり、前記一意の内線アイデンティティは一意の企業内内線アイデンティティである請求項７乃至１３のいずれか１項に記載のノード。
【請求項１５】
ＩＰを用いた主ネットワーク内のサブネットワークにログインする端末であって、加入者が前記主ネットワークにおいて一意の内線アイデンティティ及び一意のログインパスワードを有し、
−別のサブネットワークに属する一意の内線アイデンティティを含む登録要求を前記サブネットワーク内のゲートキーパに送信するように構成された端末であって、
−前記一意の内線アイデンティティと関連付けられるホームゲートキーパのＩＰアドレスを前記ゲートキーパから受信し、
−前記ＩＰアドレスを使用して前記ホームゲートキーパに前記登録要求を送信するように更に構成されることを特徴とする端末。
【請求項１６】
前記端末は、
−前記一意の内線アイデンティティが登録されたゲートキーパＩＰを有さないために前記登録要求が拒否され、それにより前記ログインの手順が停止することを示すメッセージを受信するように更に構成された請求項１５に記載の端末。
【請求項１７】
前記端末は、
−前記端末がリモートログインされ、且つ前記端末が前記サブネットワークにおいてノードに緊急通話要求を出す必要があることを通知するメッセージを受信するように更に構成された請求項１６に記載の端末。
【請求項１８】
前記端末は、
−ダイヤルされた番号を解析し、且つ前記番号が緊急の番号である場合に前記サブネットワークにおいてノードに緊急通話要求を出すように更に構成されている請求項１５に記載の端末。
【請求項１９】
前記主ネットワークは企業内ネットワークであり、サブネットワークは企業内ローカルネットワークであり、前記一意の内線アイデンティティは一意の企業内内線アイデンティティである請求項１５乃至１８のいずれか１項に記載の端末。
【発明の詳細な説明】
【技術分野】
【０００１】
本発明はネットワークローミングに関する。本発明は、特に、ＩＰを用いた企業内ネットワークにおいてローミングする方法、ＩＰを用いた企業内ネットワーク内の企業内ローカルネットワークにおけるノード、ＩＰを用いた企業内ネットワークの企業内ローカルネットワークにおいてゲートキーパを含むノードにおける方法及び企業内ローカルネットワークにログインする端末に関する。
【背景技術】
【０００２】
今日のグローバルな企業世界において、多くの企業は世界中に広範に分布し、多くの場所にローカルオフィスを有する。これらの企業のうちの一部は、企業内の通信を保証する企業内通信ネットワークを有する。これらの企業内通信ネットワークはＩＰを用いてもよく、企業内ネットワーク内の端末間の音声通信はＶｏＩＰ（voice over IP）である。企業内ネットワークは少なくとも１つのローカルエリアネットワークから構成され得る。多くの離間したローカルエリアネットワーク、例えばローカルオフィス毎に１つのローカルエリアネットワークは、ＩＰバックボーンネットワークにより相互接続可能である。企業の従業員には、企業内ネットワークにログインするための一意の内線を提供される。
【０００３】
多くの場合、企業内の従業員は、種々の活動のために異なるローカルオフィスに出向いている。ローカルオフィスを訪問する間、従業員は、特に、ホームオフィスと通信し且つ外線通話する必要がある。これらの目的のために、従業員は訪問先ローカルオフィスにおいて企業内ネットワーク内の端末を使用する。更に従業員は、ホームオフィス以外の別のローカルオフィスに訪問している時にホームオフィスの内線にかかってきた通話に応じることができる必要がある。これを達成するための１つの方法は、従業員が現在位置する訪問先ローカルオフィスの特定の端末に内線を転送することである。しかし、従業員が別のローカルオフィスを訪問する場合、従業員の内線は前記訪問先ローカルオフィスの別の端末に転送される必要がある。従って、内線をホームオフィスから特定の端末に予め転送する必要なく、従業員が内線にかかってきた通話に企業内ネットワークの任意の端末で着呼できれば便利である。
【０００４】
転送は、ホームオフィスの端末及び構内交換機ＰＢＸから内線に対して取り扱われ、管理される必要があり、そのような内線は従業員が自身のホームオフィスを離れる際に周知される必要がある。従って、従業員の内線を転送することは、従業員が多くの異なるローカルオフィスを訪問する場合には柔軟な解決策とはならない。
【０００５】
更に、ＩＰを用いたネットワークにおいて内線アイデンティティ（識別情報）は個人用であるため、訪問中の従業員はしばらくの間別の従業員の内線を借りる必要がある。従って、従業員が企業内のどこで働いている場合でも内線アイデンティティを使用できれば好都合である。
【０００６】
従業員が企業内ネットワークにおいて任意の端末で自身の電話番号への通話に応じることができるように、従業員のホームオフィスは、従業員が現在位置する企業内ネットワークにおける端末を認識する必要がある。更に企業内ネットワークは、従業員の電話番号を使用して企業内ネットワークにアクセスしようとしている者が無許可のユーザではないことを認証する必要がある。
【発明の概要】
【発明が解決しようとする課題】
【０００７】
本発明の目的は、ＩＰを用いた主ネットワーク、例えば企業内ネットワークの企業内ローカルネットワーク等の任意のＩＰを用いたサブネットワークからユーザ、加入者及び／又は従業員のホームサブネットワークにログインするために、ＩＰ電話等のＩＰ端末を介してユーザ、例えば加入者及び／又は従業員に自動ネットワークローミング及びログイン手順を提供することである。
【０００８】
解決すべき課題は、ユーザの一意の内線アイデンティティが属するホームサブネットワークの正当なＩＰアドレスをいかにして識別するかである。
【課題を解決するための手段】
【０００９】
上記の課題は、本発明に従ってネットワークローミング方法を実行するようにサブネットワークのゲートキーパを含むノードをサブネットワークにおいて構成することにより解決される。
【００１０】
本発明の第１の態様は、ＩＰを用いた主ネットワークにおいてローミングする方法である。ユーザは、前記主ネットワークにおいて一意の内線アイデンティティ及び一意のログインパスワードを有する。ゲートキーパを含むノードは、前記主ネットワークのサブネットワークにおいて、前記サブネットワークに属するユーザ端末から一意の内線アイデンティティを含む登録要求を受信する。ノードは、前記一意の内線アイデンティティが、それを要求するユーザ端末のサブネットワークに属するかを判定するように構成される。前記内線アイデンティティがノードのサブネットワーク以外の別のサブネットワークに属する場合、ノードは、前記一意の内線アイデンティティのホームサブネットワークのＩＰアドレスに対してサブネットワークのルーティングサーバを要求する。ルーティングサーバは、要求されるホームゲートキーパのＩＰアドレスで応答するように構成される。ノードは、ＩＰアドレスを使用して前記ユーザ端末から前記一意の内線アイデンティティのホームサブネットワークに登録要求を送信できるように、その登録要求を行ったユーザ端末にＩＰアドレスを送信する。
【００１１】
本発明の更なる１つの態様は、前記主ネットワークにおいてネットワークローミングするためのＩＰを用いた主ネットワーク内のサブネットワークにおけるノードである。ユーザは、前記主ネットワークにおいて一意の内線アイデンティティ及び一意のログインパスワードを有する。ゲートキーパを含むノードは、前記主ネットワークのサブネットワークにおいて、前記サブネットワークに属するユーザ端末から一意の内線アイデンティティを含む登録要求を受信するように構成される。ノードは、前記一意の内線アイデンティティが、その登録要求を行ったユーザ端末のサブネットワークに属するかを判定するように構成される。前記内線アイデンティティがノードのサブネットワーク以外の別のサブネットワークに属する場合、ノードは、前記一意の内線アイデンティティのホームサブネットワークのＩＰアドレスに対してサブネットワークのルーティングサーバを要求するように構成される。ルーティングサーバは、要求されるホームゲートキーパのＩＰアドレスで応答するように構成される。ノードは、ＩＰアドレスを使用して前記ユーザ端末から前記一意の内線アイデンティティのホームサブネットワークに登録要求を送信できるように、当該登録要求を行ったユーザ端末にＩＰアドレスを送信するように更に構成される。
【００１２】
本発明の更なる１つの態様は、前記主ネットワークにおいてネットワークローミングするためのＩＰを用いた主ネットワーク内のサブネットワークにおいてゲートキーパを含むノードにおける方法である。ユーザは、前記主ネットワークにおいて一意の内線アイデンティティ及び一意のログインパスワードを有する。ノードは、一意の内線アイデンティティを含む登録要求を受信するように構成される。サブネットワークが、受信される内線アイデンティティに対するホームサブネットワークである場合、前記方法は：
−前記一意の企業内内線がノードに既に登録されているかを判定するステップと；
−前記一意の内線アイデンティティがノードに既に登録されている場合に一意の内線アイデンティティの登録／ログイン状態をチェックするステップと；
−一意の企業内内線上でアクティブなコールがある場合にアクティブなコールを切断するステップと；
−前記端末をログオフするために、一意の企業内内線に登録されるユーザ端末に対して非登録要求を送出するステップと；
−ホームゲートキーパに端末を登録することにより前記ユーザ端末にログインするステップとを更に含む。
【００１３】
本発明の種々の他の実施形態は、以下の詳細な説明及び明細書に添付される従属請求項、並びに図面において説明される。
【発明の効果】
【００１４】
本発明の１つの利点は、ユーザがＩＰ電話で通話する際に一般に使用するサブネットワークのＩＰアドレス又は主ネットワークの全てのサブネットワークのＩＰアドレスをユーザが認識又は記憶する必要がないことである。ＩＰアドレスは、サブネットワーク又は主ネットワークのユーザに通知及び更新されることなく変更されてもよい。新しいサブネットワークのＩＰアドレス又は古いサブネットワークの新しいＩＰアドレスは、サブネットワーク及び主ネットワークにおいて、特定の記録における主ネットワークの所有者又はオペレータ、例えばルーティングサーバにより容易に更新される。
【００１５】
図面と併せて以下の詳細な説明を読むことにより、本発明の実施形態の更なる利点及び特徴が明らかになるだろう。
【図面の簡単な説明】
【００１６】
【図１】本発明の例示的な一実施形態に係るＩＰを用いた企業内ネットワークを示す簡略化されたブロック図である。
【図２】本発明の一実施形態に従って、第１の企業内ローカルネットワーク及び第２の企業内ローカルネットワークを示す概略ブロック図である。
【図３】本発明に従って、企業内ネットワークにおいてネットワークローミングする方法を示すフローチャートである。
【図４】本発明の一実施形態に従って、ＩＰを用いた企業内ネットワークにおいてネットワークローミングする企業内ローカルネットワークにおけるノードを示すブロック図である。
【図５】本発明に従って、企業内ネットワークにおいてネットワークローミングする企業内ローカルネットワークにおける方法の一実施形態を示すフローチャートである。
【図６】本発明の一実施形態に係る端末、例えばＩＰ電話、ＰＣ（パーソナルコンピュータ）等を示すブロック図である。
【発明を実施するための形態】
【００１７】
次に、本発明の好適な実施形態が示される添付の図面を参照して、本発明を以下に更に詳細に説明する。しかし、本発明は多くの異なる形態で具体化されてもよく、本明細書で説明する実施形態に限定されるものとして解釈されるべきではない。これらの実施形態は、その開示内容が完璧で完全なものとなり、本発明の範囲が当業者に完全に理解されるように提供される。図中、同一の図中符号は同一又は同等の要素を示す。
【００１８】
本発明は、本明細書において主ネットワークと呼ばれるネットワークに関する。ネットワークは、各々が主ネットワークの一部分であるか又は他の方法で主ネットワークに密接に関連する複数のサブネットワークを含む。以下において、複数の企業内ローカルネットワークを含む企業内ネットワークを使用して本発明を説明する。企業内ネットワーク及びサブネットワークは、主ネットワーク及びそのサブネットワークの一例として考えられるべきであり、これに限定されるものではない。
【００１９】
図１を参照すると、本発明の例示的な一実施形態に係るＩＰを用いた企業内ネットワークを示す簡略化されたブロック図が示される。図１に示すように、企業内ネットワーク１００は、ＩＰバックボーンネットワーク７により相互接続される２つの企業内ローカルネットワーク５、６から構成される。例えば、第１の企業内ローカルネットワーク５はスウェーデンにおける企業内ローカルネットワークであってもよく、第２の企業内ローカルネットワーク６はオーストラリアにおける企業内ローカルネットワークであってもよい。ＩＰを用いた（インターネットプロトコルを用いた）ネットワーク７は、２つの企業内ローカルネットワーク５，６を相互接続する。前記ＩＰネットワークはインターネット又はＩＰバックボーンネットワーク７であってもよく、ローカルオフィス間でのデータ通信のために企業により使用される。１つ又は複数のユーザ端末１、２、３、４、．．．の各々は、企業内ネットワーク１００に対して１つの通信アクセスを有する。ユーザ端末１、２は第１の企業内ローカルネットワーク５を介して通信し、ユーザ端末３、４は第２の企業内ローカルネットワーク６を介して通信する。図１に示すように、各企業内ローカルネットワーク５、６は構内交換機（ＰＢＸ）２２、２３を含む。第１のＰＢＸ２２は第１の企業内ローカルネットワーク５に対応し、第２のＰＢＸ２３は第２の企業内ローカルネットワーク６に対応する。企業内ローカルネットワーク内の端末間及び２つの離間した企業内ローカルネットワークの端末間でＶｏＩＰ通話が行なわれる場合、各ＰＢＸはこれを支援する。各企業内ローカルネットワークにおけるＰＢＸの別の機能は、ＩＰネットワーク７に対する企業内ローカルネットワークのためのアクセスノードとして動作することである。企業内ネットワーク１００はユーザと呼ばれる複数の加入者１０〜１３を有し、それらは企業の従業員であることが好ましい。図１に従う本発明の好適な実施形態において、各加入者／ユーザ１０〜１３は、特定のユーザ／加入者に発呼するために使用される一意の企業内線１４〜１７を有する。一意の企業内内線は、例えば電話番号又はネットワーク番号である。図１において、全ての従業員１０〜１３は、勤務時間中に電話により連絡が取れるホームオフィスを有する。一部の従業員１０、１１に対するホームオフィスは第１の企業内ローカルネットワーク５であり、他の従業員１２、１３に対するホームオフィスは第２のローカルオフィス６である。従業員／加入者／ユーザに対する全ての一意の企業内内線は、種々の企業内ローカルネットワークに対してグループ化され、一覧表示され且つ関連付けられる。すなわち、例えば１４、１５のような一部の一意の企業内内線は第１の企業内ネットワーク５に属し、例えば１６、１７のような他の一意の企業内内線は第２の企業内ローカルネットワーク６に属する。
【００２０】
ゲートキーパは、Ｈ．３２３プロトコル規格に基づく企業内ネットワークにおけるエンティティであり、特に、企業内ネットワークの従業員の電話番号とＩＰアドレスとの間のアドレス変換を実行する。Ｈ．３２３規格は、ＩＰを使用した企業内ネットワークにおいて通信サービスを提供するために使用される１組のプロトコルを提供する。ゲートキーパは、企業内ネットワークにおいて加入者の認証を実行するように更に構成されてもよい。図１に従う企業内ネットワークの例示的な実施形態において、いくつかのゲートキーパのうち、２つのゲートキーパ８、９のみを示す。第１のゲートキーパ８はＰＢＸ２２と関連付けられ、ゲートキーパ及びＰＢＸは第１の企業内ローカルネットワーク５のノードを論理的に形成すると考えられる。第２のゲートキーパ９はＰＢＸ２３と関連付けられ、これらのゲートキーパ及びＰＢＸは第２の企業内ローカルネットワーク６のノードを論理的に形成すると考えられる。図１に従う本発明の例示的な実施形態において、ゲートキーパが配置される企業内ローカルネットワークに属する一意の企業内内線を常時監視するように構成されるのはゲートキーパエンティティである。ゲートキーパ８は、企業内ローカルネットワーク５に属する一意の企業内内線の集合を常時監視するように構成される。同様に、ゲートキーパ９は、企業内ローカルネットワーク６に属する一意の企業内内線の集合を常時監視するように構成される。
【００２１】
従業員１０、１１に対するローカルオフィス、例えば企業の本社は、企業内ローカルホームネットワーク５で提供されるローカルホームオフィスであるとみなされる。従業員及び加入者の各々は、特定のローカルホームオフィス、すなわち第１のローカルオフィスに属すると仮定され、他のローカルオフィスの各々は、従業員の第２のローカルオフィス、すなわちそのような第２のローカルオフィスを訪問している際の訪問先ローカルオフィスであると考えられる。
【００２２】
企業内ネットワーク１００における一意の企業内内線１４〜１７の各々は、特に、従業員が企業内ネットワーク１００にログインしている場合に従業員を認証するために使用されるパスワード１８〜２１と更に関連付けられる。各ＰＢＸ２２、２３はルーティングサーバ２４、２５と更に関連付けられ、要求される宛先に通話を転送するために、ＩＰルーティング情報及び別のルーティング情報を格納する機能をネットワークに提供する。加入者がシステムにログインし且つ企業内ネットワークにおいて別の内線に発呼したい場合、加入者が連絡を取ろうとしている内線にルーティング情報を提供するのはルーティングサーバである。
【００２３】
ユーザ又は加入者／従業員が発呼するためにＩＰ電話等の端末を使用したい場合、端末は、企業内ローカルネットワークのゲートキーパにログインされる必要がある。端末は、次に説明するような自動ログイン処理を起動するログイン／ログオフキーを備えてもよい。ユーザがログインキーを押下すると、端末は、ＩＰアドレス及び端末に関連する他の格納された情報に対する要求をＤＨＣＰ（動的ホスト構成プロトコル）サーバに送出するように設定される。ＤＨＣＰは、ネットワーク接続されたデバイス（クライアント）がインターネットプロトコル（ＩＰ）ネットワークにおいて動作するのに必要な種々のパラメータを取得するために、クライアントにより使用されるプロトコルである。このプロトコルを使用することにより、システム管理の作業負荷が大幅に減少し、最小構成又は非手動構成を含むデバイスがネットワークに追加される。ＤＨＣＰサーバは、端末の一時的な端末ＩＰアドレス及びインストールサーバ（ＩＳ）のＩＰアドレスで端末に応答する。次に、端末はゲートキーパにログインするための要求を送出する。インストールサーバは端末ＩＰアドレスを識別するように構成され、インストールサーバに事前定義された第１の選択（デフォルト）ゲートキーパＩＰアドレスで応答する。更にＩＳは、端末に対して更新情報及び／又は新しいソフトウェアを自動的に転送してもよい。
【００２４】
ゲートキーパＩＰアドレスを受信した後、端末は、識別問合せで端末に返答する指示ゲートキーパに登録要求を送出できる。当該識別問合せは端末表示装置上に提示される。この例ではローカルオフィスの従業員であるユーザは、一意の企業内内線アイデンティティであると考えられる従業員の電話番号を入力する。ゲートキーパは、ゲートキーパが電話番号を認識しているかをチェックするように構成され、オプションとして認証手順を実行してもよい。電話番号が受け入れられると、端末は更なる使用のためにゲートキーパにログインされる。
【００２５】
尚、企業内ネットワークを実現するいくつかの異なる方法が存在し、図１及び上記説明は一例にすぎない。次に、図１の企業内ネットワークに基づいて本発明の更なる実施形態を更に詳細に説明する。
【００２６】
図２は、第１の企業内ローカルネットワーク５及び企業の従業員１０（図１参照）が訪問する第２の企業内ローカルネットワーク６を示す概略ブロック図である。従業員１０の企業内ローカルホームネットワークは第１のネットワーク５である。企業内ローカルホームネットワーク５及び訪問先企業内ローカルネットワーク６の双方は、企業内ネットワーク１００の部分である。企業内ローカルホームネットワーク５は、ゲートキーパ８を有するＰＢＸ２２を含む。電話端末１のようなローカルホームオフィスの端末は、ログイン手順によりＰＢＸ及びゲートキーパに接続されるように構成される。訪問先企業内ローカルネットワーク６は、ゲートキーパ９を有するＰＢＸ２３を含む。電話端末３のような訪問先ローカルオフィスの端末は、同様に、従業員／加入者がログインすることによりＰＢＸ及びゲートキーパに接続されるように構成される。ゲートキーパ９は、適切なプロトコルインタフェースを介してルーティングサーバ２５と通信するように更に構成される。ルーティングサーバ２５は、プロトコルインタフェースを介して企業内ルーティングサーバ２５と通信するように構成される。
【００２７】
図２を参照すると、メッセージ通信は、ＩＰを用いた企業内ネットワークにおいてネットワークローミングするために本発明の例示的な一実施形態に従って示される。本明細書において、例えばスウェーデンにホームオフィス５を有する加入者１０が、例えばオーストラリアにある企業の別のローカルオフィス６を訪問していると仮定する。次に、加入者１０は、本発明に従って、自身の一意の企業内内線への通話に対してオーストラリアにあるローカルオフィス６の端末３から応答したい。加入者１０は、最初に、端末３から訪問先企業内ローカルネットワーク６にログインする必要がある。
【００２８】
端末３から企業内ネットワークにログインするために、加入者は自身の一意の企業内内線１４（図１参照）を端末３に入力する。端末は、加入者１０により企業内ローカルネットワーク６のゲートキーパ９に入力される一意の企業内内線１４を含む登録要求２６を送信する。ゲートキーパ９は、登録要求２６を受信した後、一意の企業内内線アイデンティティが企業内ローカルネットワーク６に属するかを判定する。図２に従う本発明の例示的な実施形態において、ゲートキーパ９は、一意の企業内内線アイデンティティを格納／一覧表示されたアイデンティティの集合と比較し、且つ一意の企業内内線１４が企業の企業内ネットワーク内の別の企業内ローカルネットワークに属するかを判定するように構成される。認証が有効である場合、ゲートキーパは企業内ローカルネットワーク６にアクセスする許可を要求するように構成され、従業員はネットワークにログインできるように自身のパスワードを入力しなければならない。本発明のこの例示的な実施形態において、認証は有効である。しかし、比較の結果、一意の企業内内線１４が企業内ネットワーク内の別のネットワークに属するとゲートキーパ９が判定するため、内線に対するパスワード要求は無効になり、加入者は、この時点では一意の企業内内線１４と関連付けられるパスワード１８を入力しなくてもよい。一意の企業内内線１４が別のネットワークに属するため、加入者１０は企業内ネットワークにログインできない。従って、ゲートキーパ９は、一意の企業内内線１４に対するホームネットワークを見つけなければならない。ゲートキーパ９は、加入者／従業員を訪問するために、前記一意の企業内内線アイデンティティ１４と関連付けられるホームゲートキーパ（ＨＧＫ）８のＩＰアドレスに対する要求２７’をルーティングサーバ２５に送出する。ゲートキーパ９は、応答メッセージ２９’においてホームゲートキーパ８のＩＰアドレスで応答する。
【００２９】
一意の企業内内線１４と関連付けられるホームゲートキーパ（ＨＫＧ）のＩＰアドレスがルーティングサーバ２５で見つからない場合、一意の企業内内線１４と関連付けられるホームゲートキーパのＩＰアドレスに対する要求２７”は、ルーティングサーバ２５から企業内ルーティングサーバ２８に送出される。一意の企業内内線１４と関連付けられるホームゲートキーパ８のＩＰアドレスが企業内ルーティングサーバ２８で見つからない場合、企業内ルーティングサーバ２８からローカルルーティングサーバ２５にメッセージ２９”が送信され、一意の企業内内線１４と関連付けられるホームゲートキーパ８のＩＰアドレスが見つからないことを示す。ローカルルーティングサーバが否定応答メッセージ２９’を生成してゲートキーパ９に送信することにより、登録要求２６が拒否されたことを示すメッセージ３０を生成して端末３に送信する。
【００３０】
ホームゲートキーパ８のＩＰアドレスが企業内ルーティングサーバ２８で見つかった場合、ローカルルーティングサーバ２５に送信されるメッセージ２９”はＩＰアドレスを含む。ローカルルーティングサーバ２５が肯定応答メッセージ２９’を生成してゲートキーパ９に送信することにより、要求されたＩＰアドレスを含むメッセージ３０を生成して端末３に送信する。
【００３１】
ゲートキーパ９が端末３に対してメッセージ３０中のＩＰアドレスで応答した場合、端末は、ＩＰアドレスを使用してホームゲートキーパ８に登録要求３１を送信する。一意の企業内内線１４がホームゲートキーパ８に既に登録されている場合、一意の企業内内線の登録／ログイン状態がチェックされる。一意の企業内内線１４上にアクティブなコールがある場合、当該アクティブなコールは切断され、端末に対して非登録要求３４が送出される。次に、ホームゲートキーパはパスワード要求３２を端末３に送信する。ホームゲートキーパ８は、端末３からパスワード１８を受信した後、ログインパスワードを認証し、ホームゲートキーパ８に端末３を登録することにより端末３にログインする。
【００３２】
本発明の一実施形態によると、ホームゲートキーパ８は、ホームゲートキーパ８と関連付けられる企業内ローカルネットワーク５の端末１及び２からの緊急通話要求とは異なる様式で、リモートログインされる端末３及び４からの緊急通話要求を処理するように更に構成される。ゲートキーパ８において端末３から緊急通話要求３５が受信されると、ホームゲートキーパ８から端末３にメッセージ３６が送信され、端末３が配置される企業内ローカルネットワーク６においてゲートキーパ９に緊急通話要求３７を出すよう端末３に指示する。リモートログインされた端末から緊急通話要求が受信されると、ホームゲートキーパ８は一意の企業内内線１４への全ての着呼を更に拒否する。端末３及び４がリモートログインされている場合にそれらの端末からの緊急通話を処理する別の方法は、メッセージ３８を端末３に送信することであり、端末３がリモートログインされ且つ企業内ローカルネットワーク６においてゲートキーパ９に緊急通話要求３７を出す必要があることを端末３に通知する。
【００３３】
図３は、本発明に従って、企業内ネットワークにおいてネットワークローミングする方法を示すフローチャートである。ステップ３０１において、一意の企業内内線を含む登録要求は、企業内ローカルネットワークのゲートキーパにおいて受信される。一意の企業内内線は、例えば電話番号又はネットワーク番号であってもよい。企業内ローカルネットワークは、例えばオーストラリアにおける企業内ローカルネットワークであってもよい。登録要求は、企業内ローカルネットワークに属する端末から受信される。次のステップ３０２において、ノードは、一意の企業内内線アイデンティティが企業内ローカルネットワークに登録されるか又は別の企業内ローカルネットワークに登録されるかを判定する。企業内ローカルネットワークに属する一意の企業内アイデンティティは、ローカルオフィスで雇用されている従業員を識別することができる。一意の企業内内線が従業員の企業内ホームローカルネットワークとは異なる別のローカルネットワークに属する場合、ステップ３０３において、ローカルネットワークのルーティングサーバは、一意の企業内内線に対するホームゲートキーパのＩＰアドレスを要求される。企業内ローカルネットワークにログインするのにパスワードが必要な場合、内線がローカルネットワーク以外の別のネットワークに属する場合には、ステップ３０３において端末に対するパスワード要求はゲートキーパで更に無効にされる。
【００３４】
ＩＰアドレスがルーティングサーバで見つかる場合、ステップ３０５において、要求されたホームゲートキーパのＩＰアドレスがゲートキーパに対して応答されることにより、端末がホームゲートキーパのＩＰアドレスを使用して一意の企業内内線と関連付けられるホームゲートキーパに登録を送信できるように、端末にＩＰアドレスを送信する。ＩＰアドレスがルーティングサーバで見つからない場合、ステップ３０４において、要求されたホームゲートキーパのＩＰアドレス、ＩＰアドレスに対する要求は企業内ルーティングサーバに送信される。ＩＰアドレスが企業内ルーティングサーバで見つかる場合、ステップ３０５においてゲートキーパに対してＩＰアドレスが応答されることにより、端末がホームゲートキーパのＩＰアドレスを使用して一意の企業内内線と関連付けられるホームゲートキーパに登録要求を送信できるように、端末にＩＰアドレスを送信する。ステップ３０４で一意の企業内内線と関連付けられるホームゲートキーパのＩＰアドレスが企業内ルーティングサーバで見つからない場合、ステップ３０６において、ホームゲートキーパへのＩＰアドレスが見つからないことを示すメッセージがルーティングサーバで受信される。次に、ステップ３０６において、登録要求が拒否されたことを示すメッセージが端末に送信される。ステップ３０２において内線がローカルネットワークに属すると判定される場合、図５のステップ５０３に継続する。
【００３５】
図４は、本発明の一実施形態に従って、ＩＰを用いた企業内ネットワークにおいてネットワークローミングする企業内ローカルネットワークにおけるノード４４を示すブロック図である。ノードは、例えば構内交換機ＰＢＸであってもよい。ゲートキーパ４０は、企業内ネットワーク内の端末４３から一意の企業内内線を含む登録要求４１を受信する手段５０を有する。ゲートキーパは、手段５１を使用して、一意の企業内内線が企業内ローカルネットワークに属するか又は企業内ローカルネットワークとは異なる企業内ネットワーク内の別のローカルネットワークに属するかを判定するように更に構成される。一意の企業内内線が企業内ローカルネットワークとは異なる別の企業内ローカルネットワークに属する場合、ゲートキーパ４０は、メッセージ４１’においてノードのルーティングサーバ４２からの一意の企業内内線と関連付けられるホームゲートキーパのＩＰアドレスを要求するための手段５２を有する。ＩＰアドレスがルーティングサーバ４２で見つかる場合、ルーティングサーバ４２は、メッセージ５９においてＩＰアドレスをゲートキーパ４０に送信するための手段５３を有し、ゲートキーパ４０はメッセージ６７においてＩＰアドレスを端末４３に送信する。一意の企業内内線と関連付けられるホームゲートキーパへのＩＰアドレスがルーティングサーバ４２で見つからない場合、ルーティングサーバ４２は、企業内ルーティングサーバ４６から一意の企業内内線と関連付けられるＩＰアドレスをメッセージ４７において要求するための手段５４を有する。一意の企業内内線と関連付けられるＩＰアドレスが企業内ルーティングサーバ４６で見つけられる場合、ルーティングサーバ４２は、一意の企業内内線と関連付けられるホームゲートキーパのＩＰアドレスをメッセージ４８においてルーティングサーバから受信するための手段５７を有する。次にルーティングサーバ４２は、メッセージ５９において手段５３を使用してＩＰアドレスをゲートキーパ４０に送信し、ゲートキーパ４０はメッセージ６７においてＩＰアドレスを端末４３に送信する。一意の企業内内線と関連付けられるＩＰアドレスが企業内ルーティングサーバ４６で見つからない場合、ルーティングサーバ４２は、一意の企業内内線と関連付けられるホームゲートキーパへのＩＰアドレスが見つからないことを示すメッセージ４８を企業内ルーティングサーバから受信するための手段５５を有する。その後、ルーティングサーバ４２は、手段５６を使用して、一意の企業内内線と関連付けられるホームゲートキーパのＩＰアドレスが見つからないことを示すメッセージ４５をゲートキーパに送信する。ゲートキーパは、メッセージ４５に応答して登録要求が拒否されたことを示すメッセージ６８を送信する。企業内ローカルネットワークにログインするのにパスワードが必要な場合、ゲートキーパ４０は、内線がローカルネットワークとは異なる別のネットワークに属する場合に端末４３に対するパスワード要求を無効にするための手段６０を更に有する。
【００３６】
一意の企業内内線が企業内ローカルネットワークに属することをゲートキーパ４０が手段５１を使用して判定する場合、ゲートキーパ４０は、手段６１を使用して、一意の企業内内線がノードに既に登録されているかを判定する。一意の企業内内線がノードに既に登録されている場合、それは一意の企業内内線の登録／ログイン状態をチェックする手段６２を有する。一意の企業内内線上にアクティブなコールが存在する場合、ノードは、手段６５を使用してアクティブなコールを切断し、且つ一意の企業内内線を使用して端末にログインするために一意の企業内内線に登録される端末に対して手段６３を使用して非登録要求を送出するように更に構成される。
【００３７】
ゲートキーパは登録要求４１を処理し、ゲートキーパ４０に端末を登録することにより端末４３にログインする。端末４３がノードにおいて手段６６により判定される企業内ローカルネットワークとは異なる別のネットワークに属する端末である場合、ノードは端末４３にメッセージ６４を送出して、それがリモートログインされ、且つ端末は端末が配置される別の企業内ローカルネットワークにおいてノードに緊急通話要求を出す必要があることを端末４３に通知する。
【００３８】
図５は、本発明に従って、企業内ネットワークにおいてネットワークローミングする企業内ローカルネットワークにおける方法の一実施形態を示すフローチャートである。ステップ５０１において、一意の企業内内線を含む登録要求は、企業内ローカルネットワークのゲートキーパにおいて受信される。一意の企業内内線は、例えば電話番号又はネットワーク番号であってもよい。企業内ローカルネットワークは、例えばオーストラリアにおける企業内ローカルネットワークであってもよい。次のステップ５０２において、ノードは、一意の企業内内線がローカルネットワークに属するか又は別のネットワークに属するかを判定する。一意の企業内内線が企業内ローカルネットワークに属する場合、ステップ５０３において、ノードは、一意の企業内内線がノードに既に登録されているかをチェックする。一意の企業内内線がノードに登録されていない場合、ステップ５０７に継続する。一意の企業内内線がノードに既に登録されている場合、内線上にアクティブなコールがあるかを判定するために一意の企業内内線の登録／ログイン状態がステップ５０４においてチェックされる。任意のアクティブなコールがある場合、当該アクティブなコールはステップ５０５において切断される。既に登録されている端末は、ステップ５０６において一意の企業内内線に登録される端末に対して端末をログオフするための登録解除要求を送出することにより登録解除される。ステップ５０１において受信された登録要求を送出した端末は、ホームゲートキーパに端末を登録することによりステップ５０７においてログインされる。端末がログインされた後、ノードは、ステップ５０１において受信された登録要求が企業内ネットワーク内の別のローカルネットワークに属する端末から送信された場合に端末がローカルネットワークに属するかをステップ５０８において判定する。端末が別のネットワークに属する場合、ステップ５０８においてノードからメッセージが送信され、それがリモートログインされ、且つ端末は端末が配置される別の企業内ローカルネットワークにおいてノードに緊急通話要求を出す必要があることを端末に通知する。内線がローカルネットワークに属さないことがステップ５０２において判定される場合、図３のステップ３０３に継続する。
【００３９】
図６は、本発明の一実施形態に従って、ＩＰを用いた企業内ネットワークにおいてネットワークローミングするために使用される企業内ローカルネットワークにおける端末６０、例えばＩＰ電話、ＰＣ（パーソナルコンピュータ）等を示すブロック図である。
【００４０】
端末は、本発明を実現する手段に加えて、端末及びその正規機能を制御するコントローラ動作及び機能に対するコンピュータソフトウェア及びデータを格納する格納手段を含むコントローラ７４を有する。入力部７５は、例えばマイク及び／又は押しボタンにより生成される入力信号及びデジタル情報を処理するために、入力インタフェース回路を含む。端末は、例えばスピーカ及び／又は表示装置により提示される端末の異なるブロック及び回路により生成される出力信号及びデジタル情報を処理するために、出力インタフェース回路を含む出力手段７６を更に有する。インタフェース７７は端末を企業内ローカルネットワークに接続する。インタフェースは有線接続又は無線接続であってもよい。端末は、別の企業内ローカルネットワークに属する一意の企業内内線を含む企業内ローカルネットワークにおいてゲートキーパに登録要求を送信する手段６９を有する。一意の企業内内線が別のゲートキーパと関連付けられている場合、端末は登録要求が送出されたゲートキーパに登録できない。従って、端末は、登録要求において端末から送信された前記一意の企業内内線と関連付けられるホームゲートキーパに対して、手段７０を使用してＩＰアドレスを受信するように構成される。ＩＰアドレスが受信された後、端末６０は、ゲートキーパから受信されるＩＰアドレスを使用して、一意の企業内内線と関連付けられるホームゲートキーパに登録要求を送信できる。一意の企業内内線と関連付けられるホームゲートキーパに対するＩＰアドレスが見つからない場合、端末は、手段７１を使用して、ホームゲートキーパに対するＩＰアドレスが見つからないために前記登録要求が拒否されることを示すメッセージを受信できるように構成される。端末６０は、本発明に従って緊急通話を処理する手段７２及び７３を更に有する。端末がリモートログインされる場合、端末は手段７２を使用してホームゲートキーパからメッセージを受信するように構成され、それがリモートログインされ、且つ端末が企業内ローカルネットワークにおいてノードに緊急通話要求を出す必要があることを端末に通知する。緊急通話を他の電話番号とは異なって処理できるように、端末はダイヤルされた番号を解析する手段７３を有し、その番号が緊急の番号であるかを判定する。ダイヤルされた番号が緊急の番号である場合、端末は企業内ローカルネットワークにおいてノードに緊急通話要求を出す。
【００４１】
いくつかの好適な実施形態に関して本発明を説明したが、本明細書を読み且つ図面を検討することにより本発明の代替物、変形、変更及び等価物が当業者には明らかとなることが考えられる。従って、以下の添付の請求の範囲は、本発明の範囲内の代替物、変形、変更及び等価物を含むことが意図される。
【図１】
0005487116.tif 000002
【図２】
0005487116.tif 000003
【図３】
0005487116.tif 000004
【図４】
0005487116.tif 000005
【図５】
0005487116.tif 000006
【図６】
0005487116.tif 000007